(57)【要約】  本発明は、二枚のレンズ（Ｖ）を連結するブリッジ（１３）と、対応するレンズ（Ｖ）のそれぞれの側方部分に連結された二本の側方枝部（１１）とを備えるリムレスメガネに関する。本発明によれば、各側方枝部（１１）は、前記側方枝部の後方に延びる二つの主要部分（１１．１、１１．２）を備える本質的に糸状の構造であり、前記主要部分はレンズ（Ｖ）の二つの貫通孔（２１、２２）を通過して前方に延びており、かつ前方部分（１１．３）により前記レンズの前面の付近において互いに連結しており、さらに、可撓性のあるブシュ（１５）が、関連付けられた主要部分（１１．１；１１．２）を締付けるために各貫通孔（２１；２２）に介在されて、対応するレンズ（Ｖ）において側方枝部（１１）を所定位置に保持する。
2009534703.tif 000002
【特許請求の範囲】
【請求項１】
二枚のメガネレンズ（Ｖ）を相互に連結するブリッジ（１３）および前記対応するレンズ（Ｖ）のそれぞれの側方領域に連結された二本の側方枝部（１１）を具備するリムレスメガネにおいて、
各側方枝部（１１）が、前記レンズ（Ｖ）から後方に延びて前記側方枝部の後方端部において合流する二つの主要部分（１１．１、１１．２）を有する本質的にワイヤ状の構造を有しており、
前記主要部分が、前記レンズ（Ｖ）の二つの貫通孔（２１、２２）を通過して前方へと延びており、かつ前方部分（１１．３）により前記レンズの前面の付近において一緒に連結されており、
可撓性のあるブシュ（１５）が、関連付けられた主要部分（１１．１；１１．２）を締付けるために、各貫通孔（２１；２２）に介在されて前記対応するレンズに前記側方枝部（１１）を所定位置に保持している、ことを特徴とするリムレスメガネ。
【請求項２】
各側方枝部（１１）を形成する前記二つの主要部分（１１．１、１１．２）が上下配置され、前記レンズ（Ｖ）に上下配置された二つの貫通孔（２１、２２）を通過し、次いで前記側方枝部の前記前方部分（１１．３）が垂直方向に延びている、請求項１に記載のリムレスメガネ。
【請求項３】
各側方枝部（１１）を形成する前記二つの主要部分（１１．１、１１．２）が並置され、前記レンズ（Ｖ）に並置された二つの貫通孔（２１、２２）を通過し、次いで前記側方枝部の前記前方部分（１１．３）が水平方向または斜め方向に延びている、請求項１に記載のリムレスメガネ。
【請求項４】
各側方枝部（１１）が、ヒンジを備えることなしに曲げ変形可能であり、前記側方枝部に装着された一つの要素（１２、１２’、１２’’）において合流する前記側方枝部の二つの自由端部（１１．４、１１．５）を有する金属製単一部品により構成されている、請求項１から３の何れか一項に記載のリムレスメガネ。
【請求項５】
前記装着要素は、前記側方枝部（１１）の前記二つの自由端部（１１．４、１１．５）が埋込まれる半剛性スリーブである、請求項４に記載のリムレスメガネ。
【請求項６】
前記装着要素は、前記側方枝部（１１）の前記二つの自由端部（１１．４、１１．５）を一緒に締付ける可撓性のある外装（１２’、１２’’）である、請求項４に記載のリムレスメガネ。
【請求項７】
前記可撓性のある外装（１２’’）が前記対応するレンズ（Ｖ）の後面まで前方に延び、それにより、上下配置された前記二つの主要部分（１１．１、１１．２）を被覆する、請求項６に記載のリムレスメガネ。
【請求項８】
前記可撓性のある外装（１２’、１２’’）は熱収縮可能なプラスチック材料から作製されており、前記可撓性のある外装（１２’、１２’’）は前記側方枝部（１１）に関係する部分において熱収縮されている、請求項６または７に記載のリムレスメガネ。
【請求項９】
各側方枝部（１１）の前記二つの主要部分（１１．１、１１．２）が、ヒンジ成形要素（３０、３１）により中断されている、請求項１から３の何れか一項に記載のリムレスメガネ。
【請求項１０】
前記ヒンジ成形要素は、前記主要部分の前記中断された端部（１１’．１、１１’．２）が内部に埋込まれた各主要部分（１１．１、１１．２）に属する可撓性のあるブロック（３０）である、請求項９に記載のリムレスメガネ。
【請求項１１】
前記ヒンジ成形要素は、前記主要部分の前記中断された端部（１１’．１、１１’．２）が内部に埋込まれた両方の主要部分（１１．１、１１．２）に共通の可撓性のあるブロック（３１）である、請求項９に記載のリムレスメガネ。
【請求項１２】
前記二つの主要部分（１１．１、１１．２）が、単体の後方部分（１１．９）によって一緒に連結されている、請求項１０または１１に記載のリムレスメガネ。
【請求項１３】
前記二つの主要部分（１１．１、１１．２）が、主要部分に装着された要素、例えば、スリーブ（１２）または可撓性のある外装（１２’）において合流している、請求項１０または１１に記載のリムレスメガネ。
【請求項１４】
各側方枝部（１１）の前記二つの主要部分（１１．１、１１．２）が、レンズ（Ｖ）から後方に向かって連続的に減少する距離（ｄ）だけ離間している、請求項１から１３の何れか一項に記載のリムレスメガネ。
【請求項１５】
各側方枝部（１１）の前記二つの主要部分（１１．１、１１．２）が、レンズ（Ｖ）から後方に向かって本質的に一定の距離（ｄ）だけ離間している、請求項１、２および４から１３の何れか一項に記載のリムレスメガネ。
【請求項１６】
（ｈ）が前記主要部分（１１．１、１１．２）を構成する前記ワイヤ状要素の高さまたは直径である場合に、前記レンズ（Ｖ）の後面における前記距離（ｄ）が本質的に４ｈと２０ｈとの範囲にある、請求項１４または１５に記載のリムレスメガネ。
【請求項１７】
各側方枝部（１１）の前記主要部分（１１．１、１１．２）が、前記レンズ（Ｖ）の後方において垂直平面において平坦化された金属製ワイヤにより作製され、それにより前記側方枝部の可撓性が、前記側方枝部が折曲げられる方向において増加する、請求項１から１６の何れか一項に記載のリムレスメガネ。
【請求項１８】
各主要部分（１１．１、１１．２）が、レンズ（Ｖ）に関連付けられた前記貫通孔（２１、２２）を通過する、前記主要部分の一部から突出している少なくとも一つのスパイク（１１．８）を有しており、前記少なくとも一つのスパイクは、前記主要部分が所定位置にあるときに、前記可撓性のある締付け用ブシュ（１５）に固定させられるようになる、請求項１７に記載のリムレスメガネ。
【請求項１９】
各主要部分（１１．１、１１．２）が、前記レンズ（Ｖ）から、前記レンズ（Ｖ）の厚さ（ｅ）以上の距離（ａ）を超えて、前記距離以上に延びる前記主要部分の一部分と鈍角をなす常時屈曲部（１１．６、１１．７）に至るまで、直線的に延びている、請求項１７に記載のリムレスメガネ。
【請求項２０】
各側方枝部（１１）の前記前方部分（１１．３）を構成する前記金属製ワイヤは、同様に平坦化されているが、前記レンズ（Ｖ）の前面の平面において平坦化されている、請求項１７に記載のリムレスメガネ。
【請求項２１】
前記金属製ワイヤは、前記金属製ワイヤの前方部分において局所的に平坦化されている円形断面を有するチタンワイヤである、請求項１７から２０の何れか一項に記載のリムレスメガネ。
【請求項２２】
各可撓性のある締付け用ブシュ（１５）は、前記レンズ（Ｖ）の前記対応する孔（２１、２２）に挿入される継手であり、前記ブシュは、前記レンズ（Ｖ）の前面に当接して支持するようになるカラー（１５．１）を前記ブシュの前方端部に有している、請求項１から２１の何れか一項に記載のリムレスメガネ。
【発明の詳細な説明】
【技術分野】
【０００１】
本発明は、二枚のメガネレンズを相互に連結するブリッジおよび対応するレンズのそれぞれの側方領域に連結された二本の側方枝部を有するリムレス型のメガネの分野に関する。
【背景技術】
【０００２】
リムレスメガネ、さらに別名として、フレームを固定するためにレンズの厚さ部分を通じて形成された孔に起因して孔明きレンズメガネとしても知られているメガネは、増々広く普及するようになっている。
【０００３】
特に、以下の文献を参照することができる。国際公開第ＷＯ２００４／００３６３２Ａ号、国際公開第ＷＯ０２／２１１９３Ａ号、欧州特許出願公開第１１０７０４２Ａ号公報、国際公開第ＷＯ９６／０５５３５Ａ号、米国特許第６４４７５１７Ａ号明細書、米国特許第５０４２９３３号明細書、米国特許公開第２００３／００５８４０１号、国際公開第ＷＯ００／２６７１６Ａ号、欧州特許出願公開１３８２９８８Ａ号公報、国際公開第ＷＯ０３／０１４８０４Ａ号、国際公開第ＷＯ０２／０９５４８２Ａ号、国際公開第ＷＯ０２／０９５４８１Ａ号、国際公開第ＷＯ８１／０１７４９Ａ号。
【０００４】
前述の機構においては、二つの孔あるいは一つの孔および側方の開放切欠きが、フレームを構成する各要素すなわちブリッジやそれぞれの側方枝部のために設けられている。
【０００５】
ほとんどの場合において、側方枝部の係留端部は多数の曲げ加工を伴う複雑な形態を有しており、これは製造コストが高いことを意味している。その上、米国特許公開第Ａ−２００４／００５１８４３号に開示されているように、側方枝部の端部がまだ直線状であり曲げられていない状態で、側方枝部の端部をレンズの孔に通した後に、通した位置においてそのような曲げ加工を実施する必要が時としてあり、これは操作者にとって特に不便である。
【０００６】
さらに、仏国特許第２７２３６４９Ａ号を参照することができる。その文献は、関連付けられた孔を通過することにより、前方から後方までレンズを通過する二本の上下配置された側方枝部を含むほぞ部分を有するワイヤ状フレームを開示している。レンズから後方に突出するこれらの側方枝部の端部は、接着により固定される保護用キャップを受容する。
【０００７】
さらに近年になって、出願人は、国際公開第ＷＯ２００６／０２７４２８Ａ号に開示するよう、ワイヤ状構造が非常に単純なフレーム機構を提案している。それによって、レンズと共に便利かつ迅速にフレームを組立てられるようになり、如何なる特殊な工具を使用する必要がなく、同様にフレームをレンズに係留する必要がない。フレームをレンズに係留することは、特に過度の締付けに起因して、レンズの対応する領域が脆弱化するという如何なる危険性の原因になっている。課題になっているワイヤ状構造は、Ｊ字形の遠位端部により終端する単一のワイヤ状側方枝部を有しており、ワイヤ状側方枝部は、長い部分が可撓性のある締付け用ブシュを介在してレンズの貫通孔を通過しており、回転防止の短い部分が後方に転向されて側方の開放切欠きかまたはレンズのもう一つの貫通孔内を通過している。しかしながら、ワイヤ状側方枝部は前記長い部分と前記短い部分との間においてレンズを締付けることがない。
【発明の開示】
【発明が解決しようとする課題】
【０００８】
本発明は、前述した出願人名義の国際公開第ＷＯ２００６／０２７４２８Ａ号において教示されている最低限のアプローチを保ちながら、前述した先行技術のフレームと比較して、構造の単純さおよび取付けの便利さの両方の点から、よりよい性能を提供するリムレス型のメガネを提供することを目的とする。
【課題を解決するための手段】
【０００９】
本発明によれば、この課題は、二枚のメガネレンズを相互に連結するブリッジおよび対応するレンズのそれぞれの側方領域に連結された二本の側方枝部を備えるリムレスメガネにおいて、各側方枝部がレンズから後方に延びて前記側方枝部の後方端部において合流する二つの主要部分を有する本質的にワイヤ状の構造を有しており、前記主要部分が、レンズの二つの貫通孔を通過して前方へと延びており、かつ前方部分により前記レンズの前面の付近において一緒に連結されており、可撓性のあるブシュが、関連付けられた主要部分を締付けるために、各貫通孔に介在されて対応するレンズに側方枝部を所定位置に保持している、リムレスメガネによって解決される。
【００１０】
特に、各側方枝部を形成する二つの主要部分は上下配置され、主要部分はレンズに上下配置された二つの貫通孔を通過し、次いで前記側方枝部の前方部分が垂直方向に延びている。変更態様においては、これらの主要部分は並置され、レンズに並置された二つの貫通孔を通過し、次いで側方枝部の前方部分が水平方向にまたは斜め方向に延びている。
【００１１】
第一の実施形態によれば、各側方枝部は、ヒンジを備えることなしに曲げ変形可能であり側方枝部に装着された一つの要素において合流する二つの自由端部を有する金属製単一部品により構成されている。従って、単に側方枝部をレンズの二つの貫通孔に通すことにより、側方枝部をレンズに非常に迅速に組立てることが可能になり、このことは有利である。
【００１２】
次いで、装着要素は、有利には側方枝部の二つの自由端部が埋込まれる半剛性スリーブ、または側方枝部の二つの自由端部を一緒に締付ける可撓性のある外装である。特に、可撓性のある外装は、対応するレンズの後面まで前方に延び、それにより、側方枝部を形成する上下配置された二つの主要部分を被覆してもよい。さらに、可撓性のある外装が熱収縮可能なプラスチック材料から作製されており、側方枝部に関係する部分において熱収縮されていることを提供しても構わない。
【００１３】
もう一つの実施形態によれば、各側方枝部の二つの主要部分はヒンジ成形要素により中断されている。
【００１４】
次いで、ヒンジ成形要素は、前記主要部分の中断された端部が内部に埋込まれた各主要部分に属する可撓性のあるブロックであることを提供することができる。一つの変更態様として、ヒンジ成形要素は、主要部分の中断された端部が内部に埋込まれた両方の主要部分に共通の可撓性のあるブロックであってもよい。
【００１５】
次いで、有利には二つの主要部分は、単体の後方部分によって一緒に連結されているか、または実際に、二つの主要部分は主要部分に装着された要素、例えばスリーブまたは可撓性のある外装において合流している。
【００１６】
さらに、レンズから後方に向かって連続的に減少する距離（ｄ）だけ離間している各側方枝部の二つの主要部分を提供することができる。一つの変更態様において、各側方枝部の二つの主要部分は、レンズから後方に向かって本質的に一定の距離だけ離間している。次いで、（ｈ）が主要部分を構成するワイヤ状要素の高さまたは直径である場合に、有利にはレンズの後面における距離が本質的に４ｈと２０ｈとの範囲にある。
【００１７】
好ましくは、各側方枝部の主要部分は、レンズの後方において垂直平面において平坦化された金属製ワイヤにより作製され、それにより前記側方枝部の可撓性が、側方枝部が折曲げられる方向において増加する。
【００１８】
次いで、有利には各主要部分はレンズに関連付けられた貫通孔を通過する主要部分の一部から突出している少なくとも一つのスパイクを有しており、前記少なくとも一つのスパイクは、前記主要部分が所定位置にあるときに、可撓性のある締付け用ブシュに固定させられるようになり、および／または、前記主要部分は、レンズからレンズの厚さ以上の距離を超えて、前記距離以上に延びる前記主要部分の一部分と鈍角をなす常時屈曲部に至るまで、直線的に延びている。
【００１９】
さらに、側方枝部の前方部分を構成する金属製ワイヤは、同様に平坦化されているが、各レンズの前面の平面において平坦化されていることを提案することができる。特に、金属製ワイヤは、金属製ワイヤの前方部分において局所的に平坦化されている円形断面を有するチタン製ワイヤである。
【００２０】
最終的に、有利には、各可撓性のある締付け用ブシュは、レンズの対応する孔に挿入される継手であり、前記ブシュは、レンズの前面に当接して支持するようになるカラーをブシュの前方端部に有している。
【発明を実施するための最良の形態】
【００２１】
本発明のその他の特徴および利点は、以下の記述および好ましい実施形態を図示する添付図面に照らしてより明確になるであろう。添付した図面の図を参照する。
【００２２】
図１および図２に示すように、本発明は、リムレス型のメガネＬに関する。これらのメガネは、二枚のレンズＶと、二枚のメガネレンズＶを相互に連結するブリッジ１３および対応するレンズＶのそれぞれの側方領域に連結された二本の側方枝部１１を含むフレーム１０と、を有している。
【００２３】
各側方枝部１１は、二つの主要部分１１．１、１１．２を備える本質的にワイヤ状の構造を有しており、本実施例においてこれら主要部分は上下配置されてレンズＶの後部から延びており、前記側方枝部の後方端部、具体的には半剛性スリーブ１２において合流している。本実施例において、各側方枝部１１の主要部分１１．１、１１．２は、レンズＶ内の上下配置された二つの貫通孔２１、２２を通過して前方にも延びており、その主要部分は、前方部分１１．３を介して、前記レンズの前面付近において、一緒に連結されている。具体的には、この前方部分は垂直に延びている。さらに、可撓性のあるブシュ１５は各貫通孔２１、２２に介在され、それにより、ブシュ１５は関連付けられた主要部分１１．１、１１．２に堅く装着するようになり、ブシュ１５によって、側方枝部１１が所定位置において、対応するレンズＶにしっかりと保持される。
【００２４】
従って、このような機構は、貫通孔２１、２２に介在された可撓性のあるブシュ１５によって、本実施例において上下配置された二つの締付け点が、貫通孔２１、２２の付近に得られることを可能にする。提供される締付け作用は、任意に分離されるその他の留め具を設ける必要なしに、各側方枝部１１を対応するレンズＶにおいて所定位置に保持するのに充分である。さらに、回転防止機能が貫通孔のそれぞれにおいて確保されており、そのため、側方枝部をレンズの平面に対して垂直な軸回りに回動させる側方枝部の動作が全くない。
【００２５】
後述するように、レンズＶの関連付けられた貫通孔２１、２２は上下配置される必要はなく、これらが並置されていてもよい。その場合、各側方枝部の前方部分１１．３は、垂直ではなく水平に（図２１および図２２に示されているように）、または斜め方向に（変形態様を図示しない）延びる。
【００２６】
ワイヤ状の構造と同様にブリッジ１３は従来の設計によるものであり、ブリッジおよび二枚のメガネレンズの間の連結のために、ブリッジ１３は曲げ加工された主要部分１３．１と、対応するレンズＶの側方にある開放切欠き２４および孔２０に協動する係留用側方端部１３．２、１３．３とを備えている。従って、弾性によりレンズの対応する領域に単に係留されるブリッジの係留部分は区別されうる。さらに、貫通孔２０を通過するブリッジの端部が、側方枝部１１のそれぞれを保持するのに使用される上下配置されたブシュに類似した可撓性のある締付け用ブシュ１５を有するよう提供される。当然のことながら、他の構造のブリッジ、特にノーズパッドを担持するよう配置されたブリッジを提供することは可能である。
【００２７】
具体的には、各側方枝部１１は、ヒンジを備えることなしに曲げ変形可能な金属製単一部品により作製されている。図３、図４および図５からさらによく分かるように、このことによって、側方枝部１１を特に単純な構造にでき、それぞれの側方枝部１１は、二つの自由端１１．４、１１．５を備えた金属製単一部品を備えており、側方枝部１１の端部は、それらの端部に被覆された要素、具体的にはこれらの自由端部１１．４、１１．５が埋込まれた半剛性スリーブ１２において合流している。本実施形態において、各主要部分１１．１、１１．２は、レンズＶの厚さ（ｅ）以上の距離（ａ）を超えて、レンズＶの後部から前記距離以上に延びる前記部分の一部分と鈍角をなすそれぞれの常時屈曲部１１．６、１１．７に至るまで、直線的に延びている。距離（ａ）を直線的に超えるこの一部分の存在は、図２３を参照して後述される操作により、関連付けられたレンズを通じて側方枝部１１を所定位置に入れるのに有用である。
【００２８】
図６、図７および図８の拡大図が、各側方枝部１１の主要部分１１．１、１１．２および前方部分１１．３を構成する金属製ワイヤの構造をより明確に示している。このように、主要部分１１．１および１１．２は、レンズＶの後方における垂直平面において平坦化された金属製ワイヤから作製されることにより、それにより側方枝部１１が移動される方向における側方枝部１１の可撓性が高まる。好ましくは、このワイヤはチタン製ワイヤであり、その断面は初め円形であり、その前方の一部分において局所的に平坦化されている。さらに、各側方枝部１１の前方部分１１．３を構成する金属製ワイヤは平坦化されているが、レンズＶの前面の平面において平坦化されていることがわかる。これにより、特に課題であった前方部分１１．３がレンズ前方に突出する量を減少させることができる。平坦化された領域に対して垂直な二つの平面、すなわち第一には主要部分１１．１、１１．２における平坦化された領域の共通の垂直平面と第二には前方部分１１．３の垂直平面とが存在することにより、ワイヤのねじられた領域が、連結屈曲部のそれぞれ、すなわち介在されたブシュ１５を越えた貫通孔２１、２２の出口に見出される。
【００２９】
この点において、レンズＶの対応する孔２１、２２に挿入される継手によってもたらされる各可撓性のある締付け用ブシュ１５が、その前方端部においてカラー１５．１を有しており、カラーがレンズＶの前面に当接して支持されるようになり、それによって、側方枝部１１の主要部分１１．１、１１．２の滑動により側方枝部１１を所定位置に入れる際の最大限に接触するアバットメントとなり、従って、平坦化された前方部分１１．３の内面とレンズＶの前面と間の直接的な接触を回避することが可能になっている、という点を指摘しておくべきである。
【００３０】
さらに、レンズＶに関連付けられた貫通孔２１、２２を通過する主要部分の一部分から、突出する少なくとも一つのスパイクを有する各主要部分１１．１、１１．２を提供することは有利であり、前記主要部分が所定位置にあるときに、このスパイクが可撓性のある締付け用ブシュ１５に固定することができる。具体的には、図８からより明らかに分かるよう、スパイクは、逆とげ１１．８を主要部分１１．１の上縁部および主要部分１１．２の下縁部に形成することによって提供されている。
【００３１】
側方枝部１１を関連付けられたレンズＶの所定位置に入れるためには、図８に示すように、可撓性のある締付け用ブシュ１５を各主要部分１１．１、１１．２に装着することが好ましく、それによって、前記スリーブは、ワイヤが孔を通過する滑動作用の末端に向かってレンズに関連付けられた貫通孔に貫入して、スパイク１１．８が前記孔に到達した時に強固に食い込むようになる。
【００３２】
図８において、参照記号（ｄ）は、各側方枝部１１の二つの主要部分１１．１と１１．２との間の距離を示している。この距離（ｄ）は、当然のことながら、側方枝部１１に要求される形状に応じて変動し得るものである。それにも関わらず、（ｈ）が主要部分１１．１、１１．２を構成するワイヤ状要素の高さまたは直径である場合、概して、機械的必然性により、本質的に４ｈから２０ｈまでの範囲にある距離（ｄ）が選択される。
【００３３】
従って、図９、図１０および図１１は、構成している金属製ワイヤが同じ高さ（ｈ）を有していながら、距離（ｄ）が前述の実施形態の場合に比べはるかに小さい前述の実施形態の一つの変更態様を示している。
【００３４】
従って、初めは直径０．９ｍｍの円形の断面を有する金属製ワイヤであり、金属製ワイヤが平坦化された領域内において１．３８ｍｍの高さ（ｈ）および厚さ０．５ｍｍを生じさせている場合、実質的には５ｍｍから２０ｍｍまでの範囲にある距離（ｄ）を選択することができる。
【００３５】
前述の実施形態において、距離（ｄ）は、レンズＶから後方へ向かって連続的に減少する。それにもかかわらず、これは単なる一実施例にすぎず、後述するように、各側方枝部１１の二つの主要部分１１．１、１１．２を、レンズＶから後方に向かって本質的に一定のままである距離（ｄ）だけ離間させることは可能である。
【００３６】
図１２は、側方枝部１１の二つの自由端部１１．４、１１．５を埋込んで関連付けられた半剛性スリーブ１２が、側方枝部１１の二つの自由端部１１．４、１１．５を一緒に把持するゴム製の可撓性のある外装１２’に置き換えられている一つの変更態様を示している。
【００３７】
図１３および図１４に示すように、前述の可撓性のある外装１２’’が、対応するレンズＶの後面まで前方に向かって延びて、上下配置された主要部分１１．１、１１．２の両方を被覆できる。このような状況において、主要部分１１．１、１１．２は、外装１２’’のための補強部（図１４の断面図においてより明らかに見える）を形成し、従って、堅固な側方枝部という印象を与える。図１２および図１３においては、熱収縮性プラスチック材料からなる可撓性のある外装１２’、１２’’を選択するのが有利であり、それにより、側方枝部に沿って後方に向かって滑動することなしに、且つ後方ワイヤ状部分が互いに回転することなしに、前記外装は適切な把持力により側方枝部１１の対応する部分上に熱収縮されるようになりうる。
【００３８】
前述した全ての実施形態において、各側方枝部１１は、ヒンジを備えることなしに曲げ変形可能な金属製単一部品で構成されていた。しかしながら、図１５から図２０までに示すように、各側方枝部１１の二つの主要部分１１．１、１１．２がヒンジ成形要素により中断されている一つの変更態様を提供することができる。
【００３９】
図１５および図１６は、ヒンジ要素が、それぞれの主要部分１１．１、１１．２に固有の可撓性のあるブロック３０であって、可撓性のあるブロック３０内に前記主要部分の中断された端部が埋め込まれている一つの実施形態を示している。前述のように、上下配置された主要部分１１．１と主要部分１１．２との間の距離は、レンズＶから後方に向かって減少する。
【００４０】
図１７および図１８は、各側方枝部１１の主要部分１１．１、１１．２が本質的に互いに平行であり、そのため主要部分間の距離は本質的に一定になっており、前記主要部分は単体の後方部分１１．９によって相互に連結されている、先行する実施形態の一つの変更態様を示している。
【００４１】
図１９および図２０においては、ヒンジ要素が提供されたさらにもう一つの変更態様が示されており、そのヒンジ要素は、主要部分１１．１、１１．２の両方に共通であり、主要部分の中断された端部１１’.１、１１’．２が内部に埋込まれている可撓性のあるブロック３１によって構成されている。
【００４２】
当然のことながら、前述の可撓性のあるブロック３０または３１を、中断された端部１１’．１、１１’．２に固定された従来の機械的ヒンジに置き換えることができる（ここでは変形態様を図示しない）。
【００４３】
主要部分１１．１、１１．２がこのようにしてヒンジ成形要素により中断されている場合、側方枝部が単一部品により作製されることの利点は失なわれる。しかしながら、好ましくはプラスチック材料により形成された可撓性のあるブロック３０、３１があることにより、ヒンジに関してはより大きな可撓性が得られる。図１５および図１６の変更態様については、各側方枝部は、可撓性のあるブロック３０により互いに統合された三つの金属製構成要素により構成されている。これに対して、図１７および図１８並びに図１９および図２０の実施形態は、各側方枝部を構成するために二つの金属製構成要素しか含んでいない。
【００４４】
図２１および図２２においては、本発明によるメガネのもう一つの変更態様が示されており、各側方枝部１１を形成する主要部分１１．１、１１．２は、前述の実施形態の場合のように上下配置されず並置されており、次いで、これら主要部分は、同様の方法により並置されていてレンズＶに関連付けられた貫通孔２１、２２内を通過している。具体的には、並置作用は水平であり、すなわち、中央部分１１．３は水平に延びている。しかしながら、斜め方向に延びる中央部分１１．３を提供することも可能である（ここでは変更態様を図示しない）。逆説的ではあるが、側方枝部の可撓性は構成要素をなす各ワイヤの細さと高い可撓性とに起因するものであることから、側方枝部の折曲げられる方向において、このような機構の側方枝部が可撓性を損なうことは全くない。並置された後方端部は、同様の方法により半剛性スリーブ１２内に埋込まれている。並置を伴った機構は、前述の締付けおよび回転防止機能を如何なる点においても修正するものではなく、締付けおよび回転防止機能は、孔２１，２２のそれぞれに介在されている可撓性のあるブシュ１５を伴って、並置された孔２１、２２のそれぞれに設けられる。
【００４５】
図２３は、側方枝部が所定位置に入れられる工程を示し、上下配置された主要部分を有する側方枝部が図示されており、その工程は、単に手作業により、対応するレンズＶの前面から前記側方枝部の二つの主要部分１１．１、１１．２を同時に通して実施されている。当然のことながら、この図は、側方枝部１１がヒンジを備えることなしに曲げ変形可能である金属製単一部品で構成されている場合にも対応する。
【００４６】
この図は、レンズと側方枝部１１の上下配置された二つの主要部分１１．１、１１．２との間の種々の相対的位置を示す。
【００４７】
位置Ｉにおいて、端部１１．４、１１．５の先端は上下配置された貫通孔２１、２２に対面しており、それらに通される状態にある。
【００４８】
位置ＩＩ、ＩＩＩ、ＩＶおよびＶは、側方枝部を通している間の連続的な位置に対応しており、係留端部が到達するまで、ワイヤ状側方枝部１１の主要部分１１．１、１１．２の異なる部分が、上下配置された貫通孔２１、２２を通過している。移動の最終段階は、レンズＶが主要部分１１．１、１１．２の屈曲部１１．６、１１．７を通過したときに発生し、レンズＶは予め所定位置に入れられているブシュ１５が、レンズＶの上下配置された貫通孔２１、２２に挿入されることを可能にし、それによって、レンズＶは、単なる直線的滑動により前方部分１１．３がレンズＶの前面に直接的に近接するまで、最終位置ＶＩに到達するようになる。
【００４９】
従って、各側方枝部１１が迅速かつ容易に、如何なる工具も用いずに取付けられるということがわかる。その後、前述の通り半剛性スリーブ１２または可撓性のある外装１２’または１２’’を所定位置に入れれば充分である。
【００５０】
その後、組み立て品の分解が要望される場合は、逆の手順を踏むだけでよく、こうして、同じレンズを保ちながら側方枝部を交換するかまたはその逆を行なうことが可能になる。
【００５１】
当然のことながら、可撓性のある締付け用ブシュ１５を側方枝部１１の主要部分１１．１、１１．２に通す前に、可撓性のある締付け用ブシュ１５をレンズＶに上下配置される孔２１、２２に位置決めする一つの変更態様を提供することができる。しかしながら、経験は二つのブシュ１５を主要部分１１．１、１１．２に予め取付けることが操作を容易にすることを示す傾向にある。締付け用ブシュ１５は、好ましくはポリアミド６またはシリコーンにより作製され、さらに、これらの材料を透明にすることにより、締付け用ブシュ１５はより目立たなくなっている。
【００５２】
並置された主要部分１１．１、１１．２を有する側方枝部（図２１および図２２に示されているように）の場合、その側方枝部を貫通孔２１および２２（このとき並置されている）に通す工程は、上下配置された主要部分を有する側方枝部について前述されたものと全く同じである。
【００５３】
各側方枝部１１の二つの主要部分１１．１、１１．２が、ヒンジ成形要素（可撓性のあるブロック３０または３１）によって中断されている場合、当然のことながら、Ｃ字形の前方部分は前述の手順により所定位置に入れられており、その後、中断された端部は、対応する可撓性のあるブロック３０または３１内に埋込まれ、側方枝部の最終的な組立てが実施される。
【００５４】
このことは、単純であると共に、如何なる工具も利用することなく容易にかつ迅速に所定位置への入込みを可能にする構造を提供する。
【００５５】
本発明は、前述の実施形態に制限されず、それどころか、同等の手段を用いて、以上に明記された本質的な特徴を再度実施する、あらゆる変更態様を包含する。
【図面の簡単な説明】
【００５６】
【図１】図１は、本発明によるリムレス型のメガネの斜視図である。
【図２】図２は、側方枝部の係留端部を透けて見えるようにした前述のメガネの平面図である。
【図３】図３は、目に見える側方枝部の係留端部を同様に透けて見えるようにした、前述のメガネの側面図である。
【図４】図４は、側方枝部の後方被覆スリーブを付けていない、前述型の側方枝部の立面図である。
【図５】図５は、図４に示される前記側方枝部の平面図である。
【図６】図６は、側方枝部の連結領域をより明確に示す部分拡大斜視図である。
【図７】図７は、図６のＶＩＩ−ＶＩＩに沿った断面図である。
【図８】図８は、所定位置に配置された、可撓性のある締付け用ブシュを伴う側方枝部の前方部分の部分立面図である。
【図９】図９は、図６に対応し、各側方枝部を構成する上下配置された主要部分が短い距離だけ離間されている一つの変形実施形態を示す。
【図１０】図１０は、図７に対応し、各側方枝部を構成する上下配置された主要部分が短い距離だけ離間されている一つの変形実施形態を示す、図９のＸ−Ｘに沿った断面図である。
【図１１】図１１は、図８に対応し、各側方枝部を構成する上下配置された主要部分が短い距離だけ離間されている一つの変形実施形態を示す。
【図１２】図１２は、後方被覆スリーブが可撓性のある外装によって置換えられている一つの変更態様を示す側面図である。
【図１３】図１３は、被覆を構成するように外装がレンズまで前方に延ばされた先行実施形態の一つの変更態様を示す。
【図１４】図１４は、図１３のＸＩＶ−ＸＩＶ線に沿った関連性のある断面図である。
【図１５】図１５は、ヒンジ要素によって各側方枝部の主要部分が中断されている一つの変更態様を示す側面図であり、本実施例においては、各主要部分に関連付けられたそれぞれの可撓性のあるブロックにより構成されている。
【図１６】図１６は、ヒンジ要素によって各側方枝部の主要部分が中断されている一つの変更態様を示す平面図であり、本実施例においては、各主要部分に関連付けられたそれぞれの可撓性のあるブロックにより構成されている。
【図１７】図１７は、側方枝部の主要部分が本質的に互いに平行であり、単体の部分により一緒に連結されている、先行実施形態の一つの変更態様を示す側面図である。
【図１８】図１８は、側方枝部の主要部分が本質的に互いに平行であり、単体の部分により一緒に連結されている、先行実施形態の一つの変更態様を示す平面図である。
【図１９】図１９は、両方の主要部分に共通のヒンジブロックがヒンジを形成するために設けられている、別の一つの変更態様を示す側面図である。
【図２０】図２０は、両方の主要部分に共通のヒンジブロックがヒンジを形成するために設けられている、別の一つの変更態様を示す平面図である。
【図２１】図２１は、各側方枝部の主要部分が上下配置されておらず並置（本実施例においては水平に）されている、先行実施形態の一つの変更態様の斜視図である。
【図２２】図２２は、側方枝部の係留端部を透けて見えるようにした、図２１のメガネの平面図である。
【図２３】図２３は、側方枝部がレンズの前面から通されている間であって、上下配置された主要部分を有する側方枝部と対応するレンズとの間の種々の相対的位置を示す線図である。
【図１】
2009534703.tif 000003
【図２】
2009534703.tif 000004
【図３】
2009534703.tif 000005
【図４】
2009534703.tif 000006
【図５】
2009534703.tif 000007
【図６】
2009534703.tif 000008
【図７】
2009534703.tif 000009
【図８】
2009534703.tif 000010
【図９】
2009534703.tif 000011
【図１０】
2009534703.tif 000012
【図１１】
2009534703.tif 000013
【図１２】
2009534703.tif 000014
【図１３】
2009534703.tif 000015
【図１４】
2009534703.tif 000016
【図１５】
2009534703.tif 000017
【図１６】
2009534703.tif 000018
【図１７】
2009534703.tif 000019
【図１８】
2009534703.tif 000020
【図１９】
2009534703.tif 000021
【図２０】
2009534703.tif 000022
【図２１】
2009534703.tif 000023
【図２２】
2009534703.tif 000024
【図２３】
2009534703.tif 000025
【国際調査報告】
2009534703.tif 000026
2009534703.tif 000027
2009534703.tif 000028
2009534703.tif 000029
2009534703.tif 000030
2009534703.tif 000031